(57)【特許請求の範囲】
【請求項１】
金属製の支持脚を備え、その支持脚上にコンクリート型枠を支持するようにしたコンクリート型枠用支持具において、
前記支持脚にコンクリート型枠の間隔を保持する間隔保持具を支持するための受け体を取着し、その受け体の上縁を支持脚の上縁より低くなるように設定したコンクリート型枠用支持具。
【請求項２】
前記支持脚を一対の金属棒により構成し、両支持脚間を連結部材で連結するとともに、受け体を受け板で構成し、その受け板の側縁を折曲げて止め片を形成し、その止め片の上縁を支持脚の上縁より低くなるように設定した請求項１に記載のコンクリート型枠用支持具。
【請求項３】
前記一対の支持脚を、金属棒を折曲げてほぼ横Ｕ字状に形成し、その底部を底板に接合するとともに、支持脚の上部をコンクリート型枠を支持する受け部とし、その受け部の下面に受け板を接合した請求項２に記載のコンクリート型枠用支持具。
【請求項４】
前記受け板を、底板より切り抜いた板材で構成した請求項２又は３に記載のコンクリート型枠用支持具。
【請求項５】
前記受け体を、丸棒により構成した請求項１に記載のコンクリート型枠用支持具。
【発明の詳細な説明】
【０００１】
【発明の属する技術分野】
この発明は、例えば住宅用の基礎コンクリートを打設する際に、コンクリート型枠を支持するために使用されるコンクリート型枠用支持具に関するものである。
【０００２】
【従来の技術】
従来のこの種のコンクリート型枠用支持具においては、図１１に示すように、金属製の底板３１上に一対の金属製の支持脚３２が所定間隔をおいて立設固定され、両支持脚３２間には金属製の支持部３３が横架固定されている。両支持脚３２の上部は横方向に折曲げられ、その上に両側が折曲げられた受け板３４がその中央位置で溶接固定されている。この受け板３４上には間隔保持具３５が載置されるとともに、コンクリート型枠３６が所定の間隔をおいて支持されるようになっている。
【０００３】
そして、基礎コンクリートを打設する際には、この支持具を捨コンクリート上に載置した状態で、支持具の受け板３４上にコンクリート型枠３６を支持する。
【０００４】
【発明が解決しようとする課題】
ところが、この従来のコンクリート型枠用支持具においては、受け板３４がその中央位置で支持脚３２に溶接固定され、その上に重いコンクリート型枠３６が支持されることから、図１１の二点鎖線で示すように、受け板３４が中央部を中心にして両側が下方へ撓み、型枠３６の位置が下方にずれる。このため、支持具の底板３１から型枠３６に至るまでの高さが図１１に示すＨからｈに変化し、ひいては基礎コンクリートの高さが所望とする値に設定されない場合があるという問題があった。
【０００５】
この発明は、このような従来の技術に存在する問題点に着目してなされたものである。その目的とするところは、コンクリート型枠を設置する際に位置ずれを起こすおそれがなく、基礎コンクリートの高さを所望とする値に設定することができるコンクリート型枠用支持具を提供することにある。
【０００６】
【課題を解決するための手段】
上記の目的を達成するために、請求項１に記載のコンクリート型枠用支持具の発明では、金属製の支持脚を備え、その支持脚上にコンクリート型枠を支持するようにしたコンクリート型枠用支持具において、前記支持脚にコンクリート型枠の間隔を保持する間隔保持具を支持するための受け体を取着し、その受け体の上縁を支持脚の上縁より低くなるように設定したものである。
【０００７】
請求項２に記載の発明では、請求項１に記載のコンクリート型枠用支持具において、前記支持脚を一対の金属棒により構成し、両支持脚間を連結部材で連結するとともに、受け体を受け板で構成し、その受け板の側縁を折曲げて止め片を形成し、その止め片の上縁を支持脚の上縁より低くなるように設定したものである。
【０００８】
請求項３に記載の発明では、請求項２に記載のコンクリート型枠用支持具において、前記一対の支持脚を、金属棒を折曲げてほぼ横Ｕ字状に形成し、その底部を底板に接合するとともに、支持脚の上部をコンクリート型枠を支持する受け部とし、その受け部の下面に受け板を接合したものである。
【０００９】
請求項４に記載の発明では、請求項２又は３に記載のコンクリート型枠用支持具において、前記受け板を、底板より切り抜いた板材で構成したものである。
請求項５に記載の発明では、請求項１に記載のコンクリート型枠用支持具において、前記受け体を、丸棒により構成したものである。
【００１０】
従って、請求項１に記載のコンクリート型枠用支持具を使用して、基礎コンクリートを打設する際には、この支持具を捨コンクリート上に載置した状態で、両支持脚の上縁にコンクリート型枠を支持する。このとき、受け部の上縁が支持脚の上縁より低くなるように設定されていることから、コンクリート型枠は実質的に支持脚上に支持される。
【００１１】
そのため、受け部が撓むおそれはなく、位置ずれを起こすことがない。その結果、基礎コンクリートの高さを所望とする値に設定することができる。
請求項２に記載のコンクリート型枠用支持具においては、支持脚が一対の金属棒により構成され、両支持脚間が連結部材で連結されているため、支持具の構成を簡易にすることができる。また、受け板の側縁が折曲げられて止め片が形成され、その止め片の上縁が支持脚の上縁より低くなるように設定される。このため、止め片が受け板上に載置される間隔保持具の移動を規制できるとともに、コンクリート型枠を実質的に支持脚上に支持することができる。
【００１２】
請求項３に記載のコンクリート型枠用支持具においては、一対の支持脚が、金属棒を折曲げてほぼ横Ｕ字状に形成され、その底部が底板に接合されるとともに、支持脚の上部に位置する受け部の下面に受け板が接合される。このため、受け板の側縁に設けられた止め片の上縁が支持脚の上縁より低くなるように容易に設定でき、支持具の製作を容易に行うことができる。
【００１３】
請求項４に記載のコンクリート型枠用支持具においては、受け板が、底板より切り抜いた板材で形成される。このため、底板の機能を維持しつつ、受け板製作のための材料の節約を図ることができ、支持具の製造コストの低減を図ることができる。
【００１４】
請求項５に記載のコンクリート型枠用支持具においては、受け体が丸棒により構成されている。このため、コンクリート型枠が不用意に受け体に接触した場合でも、受け体の変形を効果的に防止することができる。
【００１５】
【発明の実施の形態】
（第１実施形態）
以下、この発明の第１実施形態を、図１〜図３に基づいて詳細に説明する。
【００１６】
図１に示すように、この第１実施形態の支持具は、底板１１と、ほぼ横Ｕ字状に形成された一対の支持脚１２と、両支持脚１２を連結する連結部材としての支持杆１３と、支持脚１２の上部に接合された受け体としての一対の受け板１４とを備えている。底板１１は鉄などの金属板により平板状に形成され、中央部に水や余分なモルタルを抜き出すための矩形状の抜き孔１５が２箇所に透設されるとともに、両側に支持具を位置合わせするための一対の目印用切欠き１６が形成されている。
【００１７】
両支持脚１２は底部位置の固定部１２ａと中間位置の脚部１２ｂと上部位置の受け部１２ｃとを有するように、鉄などの金属製の丸棒によりほぼ横Ｕ字状に折曲形成され、固定部１２ａにて底板１１の上面に起立状態で所定の間隔をおいて溶接固定されている。
【００１８】
両受け板１４は四角板状の金属板により形成され、その一側縁が支持脚１２の受け部１２ｃの下面に溶接固定されるとともに、他側縁がプレス成形により上方へ直角に折曲げられて止め片１４ａを形成している。この止め片１４ａは、その上に載置される間隔保持具の幅方向への移動を規制するとともに、受け板１４を補強し、その捩じれを防止する。図２に示すように、この止め片１４ａはその上縁が支持脚１２の受け部１２ｃの上縁より距離Ｄだけ低くなるように設定され、布基礎コンクリート型枠１７が支持脚１２の受け部１２ｃ上に支持されたとき接触しないようになっている。
【００１９】
前記支持杆１３は金属丸棒により所定長さに切断形成され、両支持脚１２の脚部１２ｂの中間部に横架状態で溶接固定されている。そして、図３に示すように、型枠用支持具が地盤１８上に敷き詰められた敷石１９上に所定厚さに形成されたモルタル２０上に支持されるようになっている。この支持具の受け板１４上には間隔保持具２１が載置され、外側規制片２２と内側規制片２３間に型枠１７が位置規制された状態で支持脚１２の受け部１２ｃ上に支持される。
【００２０】
さらに、支持具の両側におけるモルタル２０上にはベースコンクリート用型枠２４が設置され、それらの内端縁が両支持脚１２の受け部１２ｃ上に支持される。布基礎コンクリート用型枠１７間には、多数の横筋２５ａ及び縦筋２５ｂよりなる鉄筋２５が挿入され、その最下端の横筋２５ａが各支持具の支持杆１３上に支持される。そして、コンクリートを打設すると、ベースコンクリート用型枠２４によりベースコンクリート２６が成形されるとともに、布基礎コンクリート用型枠１７により布基礎コンクリート２７が成形される。
【００２１】
次に、前記のように構成されたコンクリート型枠用支持具について作用を説明する。
さて、この支持具を使用して、基礎コンクリートを打設する際には、図３に示すように、地盤１８上に敷石１９が敷き詰められ、その上にモルタル２０が所定厚さに形成される。このモルタル２０上に複数の支持具を目印用切欠き１６を位置決めの目印として所定間隔おきに一列に並ぶように載置する。このとき、支持具の底板１１の抜き孔１５から余分なモルタル２０が抜け出るため、支持具の位置決めを正確に行うことができるとともに、モルタル２０の硬化後に支持具の底板１１をモルタル２０上に安定した状態で固定することができる。
【００２２】
次に、各支持具の両受け板１４上に間隔保持具２１を載置する。この状態で、各支持具における両支持脚１２の受け部１２ｃ上に布基礎コンクリート用型枠１７を支持して、間隔保持具２１の外側規制片２２及び内側規制片２３により位置規制する。また、支持具の両側においてモルタル２０上にはベースコンクリート用型枠２４を設置し、それらの内端縁を両支持脚１３の受け部１３ｃ上に支持する。
【００２３】
さらに、前記布基礎コンクリート用型枠１７間には、多数の横筋２５ａ及び縦筋２５ｂよりなる鉄筋２５を挿入して、その最下端の横筋２５ａを各支持具の支持杆１３上に支持する。
【００２４】
その後、布基礎コンクリート用型枠１７間にコンクリートを打設すると、ベースコンクリート用型枠２４によりベースコンクリート２６が成形されるとともに、布基礎コンクリート用型枠１７により布基礎コンクリート２７が成形される。
そして、各支持具が鉄筋２５とともに、これらのコンクリート２６，２７内に埋め込まれる。
【００２５】
前記の実施形態によって発揮される効果について、以下に記載する。
（１）受け板１４の側縁に設けられた止め片１４ａの上縁が支持脚１２の上縁より低くなるように設定されていることから、布基礎コンクリート２７を打設する際に両支持脚１２の上縁にコンクリート型枠１７を支持するとき、型枠１７が受け板１４上に載るおそれがない。このため、受け板１４が撓むことはなく、コンクリート型枠１７は支持脚１２の受け部１２ｃ上に支持され、位置ずれを起こすことがない。
【００２６】
従って、重量の重い大型の型枠１７を支持脚１２上に支持することができる。さらには、布基礎コンクリート２７の高さを所望とする値に設定することができる。
（２）一対の支持脚１２が、金属製の丸棒を折曲げてほぼ横Ｕ字状に形成され、その底部の固定部１２ａが底板１１に接合されるとともに、支持脚１２上部の受け部１２ｃがコンクリート型枠１７を支持し、その受け部１２ｃの下面に受け板１４が接合される。このため、受け板１４の側縁に設けられた止め片１４ａの上縁が支持脚１２の受け部１２ｃの上縁より低くなるように容易に設定でき、支持具の製作を容易に行うことができる。
（３）コンクリート型枠１７は、受け板１４の止め片１４ａ上ではなく、丸棒状の支持脚１２の受け部１２ｃ上に支持されることから、型枠１７が動きやすく、型枠１７の設置作業を容易に行うことができる。
（第２実施形態）
次に、この発明の第２実施形態を図４および図５に基づいて説明する。
【００２７】
さて、図４に示すように、この第２実施形態においては、支持具の底板１１に設けられた一対の抜き孔１５ａ，１５ｂより構成される抜き孔１５がそれぞれ矩形状に同じ大きさで形成されている。そして、図５に示すように、各抜き孔１５ａ，１５ｂにより切り取られた両板材２８は受け板１４として使用される。すなわち、各受け板１４の一側縁はプレス成形により所定幅に直角に折曲げ形成され、止め片１４ａとされる。
【００２８】
そして、この受け板１４の止め片１４ａとは反対側の側縁を、前記支持脚１２の受け部１２ｃの下面に溶接により接合する。このようにして、支持具に間隔保持具２１を支持する受け板１４が取着される。
【００２９】
この第２実施形態によれば、受け板１４が、底板１１より切り抜いた板材２８で構成されるため、底板１１の機能を維持しつつ、受け板１４製作のための材料の節約を図ることができ、支持具の製造コストの低減を図ることができる。
（第３実施形態）
次に、この発明の第３実施形態を図７に基づいて説明する。
【００３０】
さて、図７に示すように、この第３実施形態においては、菱形状の抜き孔１５は支持具の底板１１の中央位置に設けられるとともに、矩形状の抜き孔１５ｃは底板１１の両側に設けられている。複数の補強リブ１１ａは底板１１に縦横に形成されると同時に、突条１１ｂは底板１１の周囲に形成されている。一対の支持脚１２の脚部１２ｂと受け部１２ｃは逆Ｕ字状をなし、中央側の脚部１２ｂ間が支持杆１３により連結されている。
【００３１】
支持脚１２の固定部１２ａは底板１１上において、脚部１２ｂと受け部１２ｃとにより形成される平面に対して直交方向に延びている。凹状をなす複数の補強リブ１４ｂは受け板１４に形成され、補強部１４ｃは受け板１４の止め片１４ａに補強リブ１４ｂに対応するように形成されている。
【００３２】
この第３実施形態によれば、第１実施形態の効果に加え、補強リブ１４ｂと補強部１４ｃにより、受け板１４の強度を高めることができる。また、底板１１の抜き孔１５，１５ｃにより支持具をモルタル上の所定位置に容易にしかも確実に位置決めできるとともに、複数の補強リブ１１ａや突条１１ｂにより底板１１の強度を向上させることができる。
（第４実施形態）
次に、この発明の第４実施形態を図８に基づいて説明する。なお、この実施形態においては、主に第３実施形態と異なる部分について説明する。
【００３３】
支持脚１２の外側の下部に位置する第１脚部１２ｄは、上部の第２脚部１２ｅよりも内側に位置するように配置されている。傾斜部１２ｆは、第１脚部１２ｄと第２脚部１２ｅを連結するように斜状に形成されている。釘孔３０は、底板１１の四隅に透設され、この釘孔３０を利用して図示しない釘を打つことにより、底板１１をモルタル２０上に位置決め固定するようになっている。抜き孔１５ｃや補強リブ１１ａは設けられていない。
【００３４】
この第４実施形態によれば、第１脚部１２ｄが傾斜部１２ｆを介して第２脚部１２ｅに連結されるとともに、第１脚部１２ｄは第２脚部１２ｅより内側に位置している。このため、支持具を、支持脚１２の面と直交方向に延びる図示しないベースコンクリート用鉄筋に接触することなく、モルタル２０上に容易に配置することができる。
【００３５】
なお、この発明は次のように形態を変更して具体化することも可能である。
（イ）  第２実施形態において、抜き孔１５ａ，１５ｂを大きな１つの孔とし、切り取られた板材を切断して受け板とすること。
（ロ）  図６（ａ）に示すように、受け板１４の止め片１４ａを受け板１４の一側端の両側に設けたり、図６（ｂ）に示すように、受け板１４の止め片１４ａを受け板１４の一側端の中央に設けたりすること。
（ハ）  図６（ｃ）に示すように、矩形状の板材２８をその対角線で切断して一対の三角形状の板材２８ａとし、それらの頂部を折曲げて止め片１４ａとし、受け板１４を構成すること。このようにすれば、板材２８を有効に利用することができる。
（ニ）  図９（ａ）に示すように、受け板１４として止め片１４ａを省略し、平板状に形成すること。
（ホ）  図９（ｂ）に示すように、受け板１４を支持脚１２の両側に位置するようにし、両端縁に止め片１４ａを折曲形成すること。また、図９（ｃ）に示すように、受け板１４の中央位置に半円筒状の係合凹部２９を設け、この係合凹部２９を支持脚１２の受け部１２ｃの下面に係合して溶接固定すると同時に、両端縁に止め片１４ａを折曲形成すること。
【００３６】
このようにすれば、支持具の配置間隔に応じて間隔保持具２１を受け板１４上のいずれの側にも載置することができる。
（ヘ）  図９（ｄ）に示すように、受け板１４を平板状に形成し、その一側縁を支持脚１２の脚部１２ｂの横面に溶接固定すること。図９（ｅ）に示すように、受け板１４を波板状に形成し、その一側縁を支持脚１２の脚部１２ｂの横面に溶接固定すること。
（ト）  図１０（ａ）に示すように、受け板１４の基端部を支持脚１２の受け部１２ｃの下面に接合するとともに、先端側を下方、横方、上方へ折曲形成すること。そして、上部に型枠１７に係合させる係合部２１ａを有する間隔保持具２１を受け板１４上に載置する。
【００３７】
このようにすれば、受け板１４が多少曲がっても、間隔保持具２１が受け板１４から落下するのを防止することができる。
（チ）  図１０（ｂ）に示すように、受け板１４を平板状に形成し、支持脚１２の受け部１２ｃ下面に接合するとともに、先端に折り返し部を設けること。
【００３８】
このようにすれば、受け板１４が傾いたり、曲がったりしても、間隔保持具２１が受け板１４から落下するのを防止することができる。
（リ）  図１０（ｃ）に示すように、受け板１４をＵ字状に折曲形成し、その一側面を支持脚１２の脚部１２ｂに接合すること。
（ヌ）  前記各実施形態において、受け板１４の止め片１４ａの上縁と支持脚１２の受け部１２ｃの上縁との距離Ｄを０、すなわち止め片１４ａの上縁と受け部１２ｃの上縁とを同じ高さに設定すること。
【００３９】
このように構成した場合でも、型枠１７を実質上支持脚１２の受け部１２ｃ上に支持することができる。
（ル）  受け板１４を波板状に形成したり、補強リブを設けたりして補強すること。
（オ）  支持脚１２を四角柱などの角柱状や楕円柱状などの形状に構成すること。
（ワ）  底板１１に突条、突起、凹部などを形成し、底板１１の強度を向上させること。
（カ）  受け体としての丸棒を、支持脚１２の受け部１２ｃの下部又は側部から横方向に延びるように接合すること。なお、この丸棒は、断面が真円状のもののほか、楕円状などの変形したものを含む概念である。
【００４０】
さらに、前記実施形態より把握できる技術的思想について以下に記載する。
（１）  前記受け板を支持脚に対して片持ち支持した請求項１に記載のコンクリート型枠用支持具。
【００４１】
このように構成した場合、受け板の一側縁を支持脚の下面に接合すればよく、支持具を容易に形成することができるとともに、板材を有効に利用することができる。
（２）  前記一対の受け板を同一形状のものとした請求項４に記載のコンクリート型枠用支持具。
【００４２】
このようにすれば、受け板の製作を容易に行うことができ、そのコストダウンを図ることができる。
（３）  前記一対の支持脚を、金属棒を折曲げて逆Ｕ字状に形成し、その底部を折曲げ互いに逆向きに延長して底板に接合するとともに、支持脚の上部をコンクリート型枠を支持する受け部とし、その受け部の下面に受け板を接合した請求項２に記載のコンクリート型枠用支持具。
【００４３】
このようにすれば、支持脚の強度を高めることができるうえに、支持脚を安定した状態で底板に固定することができる。
（４）  前記支持脚の外側の上部より下部を内側位置に配置し、上部と下部との間に傾斜部を設けた上記（３）に記載のコンクリート型枠用支持具。
【００４４】
このように構成した場合、支持具をベースコンクリート用の鉄筋に接触することなく、容易に配置することができる。
【００４５】
【発明の効果】
この発明は、以上のように構成されているため、次のような効果を奏する。
請求項１に記載の発明のコンクリート型枠用支持具によれば、コンクリート型枠を設置する際に位置ずれを起こすおそれがなく、基礎コンクリートの高さを所望とする値に設定することができる。
【００４６】
請求項２に記載の発明によれば、支持具の構成を簡易にすることができ、止め片が受け板上に載置される間隔保持具の移動を規制できるとともに、コンクリート型枠を実質的に支持脚上に支持することができる。
【００４７】
請求項３に記載の発明によれば、受け板の側縁に設けられた止め片の上縁が支持脚の上縁より低くなるように容易に設定でき、支持具の製作を容易に行うことができる。
【００４８】
請求項４に記載の発明によれば、底板の機能を維持しつつ、受け板製作のための材料を節約することができ、支持具の製造コストの低減を図ることができる。
請求項５に記載の発明によれば、受け体が丸棒により構成されているため、コンクリート型枠が不用意に受け体に接触した場合でも、受け体の変形をより効果的に防止することができる。
【図面の簡単な説明】
【図１】  第１実施形態の型枠用支持具を示す斜視図。
【図２】  型枠用支持具上に型枠を支持した状態を示す側面図。
【図３】  型枠用支持具の使用状態を示す断面図。
【図４】  第２実施形態の型枠用支持具を示す斜視図。
【図５】  第２実施形態の一対の受け板を示す斜視図。
【図６】  （ａ）〜（ｃ）は受け板の別例を示す斜視図。
【図７】  第３実施形態の型枠用支持具を示す斜視図。
【図８】  第４実施形態における型枠用支持具を示す斜視図。
【図９】  （ａ）〜（ｅ）は支持脚に取着される受け板の別例を示す部分側面図。
【図１０】  （ａ）〜（ｃ）は支持脚に取着される受け板の別例を示す部分側面図。
【図１１】  型枠を支持した従来の型枠用支持具を示す側面図。
【符号の説明】
１１…底板、１２…支持脚、１３…連結部材としての支持杆、１４…受け体としての受け板、１４ａ…止め片、１７…布基礎コンクリート用型枠、２１…間隔保持具、２８…板材。
【図１】
0003847380.tif 000002
【図２】
0003847380.tif 000003
【図３】
0003847380.tif 000004
【図４】
0003847380.tif 000005
【図５】
0003847380.tif 000006
【図６】
0003847380.tif 000007
【図７】
0003847380.tif 000008
【図８】
0003847380.tif 000009
【図９】
0003847380.tif 000010
【図１０】
0003847380.tif 000011
【図１１】
0003847380.tif 000012